(57)【要約】  【課題】床切式または設置式の囲炉裏、又は焚き火台、野外用のバーベキューコンロなどにおいて、炉本体の燃焼物が燃焼状態で安全、清潔に炉本体を移動することができる囲炉裏用炉、又は炉本体を提供することを課題とする。  【解決手段】四角箱型に形成される炉本体１０の上部の炉開口部３７の四方の長手方向の外側に水平に形成される炉出っ張り１１と、炉本体１０の外側の四隅の側面に固設される炉支持部５７の水平辺を構成する炉支持プレート５７aと、三方の炉出っ張り１１に挿入されるスライド溝３９が裏面の三方に形成され炉開口部３７を閉じる四角型形状の蓋３６と、この蓋３６の表面の両端部に設けられる取り外し自在の取っ手４０と、蓋３６の裏面にスライド溝３９が形成されない一方の端部の表面に設けられるロック装置４１と、このロック装置４１のスプリング部分４７の先端に形成されるロック部分５２と、を有する。  【選択図】図１
2008107078.tif 000002
【特許請求の範囲】
【請求項１】
設置式の囲炉裏（１A）、床切式の囲炉裏（１Ｂ）、焚き火台（ＴA）、
又は野外用のバーベキューコンロなどの四角箱型に形成され、
上部の炉開口部（３７）の縁に沿って水平方向に炉出っ張り（１１）が形成される炉本体（１０）において、
裏面の端部に断面がコの字型のスライド溝（３９）が形成され、
前記炉本体（１０）の炉開口部（３７）に対応し、四角形状に形成される蓋（３６）を、
取付可能とした炉本体。
【請求項２】
前記スライド溝（３９）が前記蓋（３６）の裏面の端部の二方、又は三方に形成されることを特徴とする請求項１に記載の炉本体。
【請求項３】
前記蓋（３６）の表面に取っ手（４０）が固設されることを特徴とする請求項１、又は２に記載の炉本体。
【請求項４】
前記炉本体（１０）と前記蓋（３６）を固定、又は解除することができるロック装置（４１）が、前記蓋（３６）の表面の端部に設けられることを特徴とする請求項１乃至請求項３に記載の炉本体。
【請求項５】
設置式の囲炉裏（１A）、又は床切式の囲炉裏（１Ｂ）の炉端（２）の炉端開口部（３）に設置する囲炉裏用炉（３５）において、
四角箱型に形成される炉本体（１０）と、
この炉本体（１０）の上部の炉開口部（３７）の縁に沿って水平方向に形成される炉出っ張り（１１）と、
前記炉本体（１０）の外壁の四隅の側面に前記炉出っ張り（１１）より一定の低い位置で互いに同じ高さで固定され設けられる下向きのL字形状の炉支持部（５７）と、
これら下向きのL字形状の炉支持部（５７）の縦辺を構成し前記炉本体（１０）の外壁の側面に固定され取り付けられる炉支持プレート（５７ｂ）と、
前記L字形状の炉支持部（３８）の水平辺を構成し、炉端開口部（３）周辺の炉係合部（５８）に掛けられ裏面が接触する事により前記炉本体（１０）を前記炉端（２）に設置する炉支持プレート（５７a）と、
前記炉出っ張り（１１）に対応し金属製の板材で四角型形状に形成され、裏面の四方の端部と前記炉出っ張り（１１）の表面が合わされ前記炉開口部（３７）を閉じる蓋（３６）と、
この蓋（３６）の裏面の三方の端部の長手方向に形成され、
前記炉出っ張り（１１）の三方が挿入される断面がコの字型のスライド溝（３９）と、
を有する事を特徴とする囲炉裏用炉。
【請求項６】
前記蓋（３６）の表面に設けられる取っ手（４０）と、
これらの取っ手（４０）の本体を構成し両端が内側に直角に形成されるコの字型の連結棒（４２）と、
前記取っ手（４０）の取付部を構成し前記蓋（３６）の表面に固定される略長方形の取っ手プレート（４３）と、
これら取っ手プレート（４３）の端部が巻き上がってフック状に形成され、
このフック状の先端部に連結棒が出し入れできる隙間（４６）を有する連結棒受け部（４５）と、
を有する事を特徴とする請求項５に記載の囲炉裏用炉。
【請求項７】
前記蓋（３６）の裏面にスライド溝（３９）が形成されない一方の端部の表面に設けられるロック装置（４１）と、
このロック装置（４１）を構成し、コの字状に形成され、
両後端部が上方に直角に形成され、さらに内側に直角に形成された状態で、ロック上蓋（４８）の両側面の後端部に形成されるスプリング穴（５１）に挿入され、上下に自在に動くように連結されるスプリング部分（４７）と、
このスプリング部分（４７）の先端部に前記蓋（３６）の裏面にスライド溝（３９）が形成されない一方の端部と前記炉出っ張り（１１）が合わされた状態で「緩やかに」挿入されるコの字型に形成されるロック部分（５２）と、
前記ロック上蓋の後端部に形成されるロック出っ張り（５０）と、
前記ロック上蓋（４８）の先端部の両側面の上部に形成される連結穴（５３）と、
ロック本体（４９）の先端部の両側面の上部に形成される連結穴（５３）と、これらの連結穴（５３）が合わされた状態で軸（５４）で連結され前記ロック本体（４９）に被さる状態で上下自在に動くように長方形の天板の両端から垂直方向に側板を有する形状に形成されるロック上蓋（４８）と、
このロック上蓋（４８）に対応する大きさで長方形の箱型に形成され底面が前記蓋（３６）の表面に固設されるロック本体（４９）と、
を有する事を特徴とする請求項５、又は６に記載の囲炉裏用炉。
【請求項８】
相対する一対の前記炉出っ張り（１１）に、取外し自在に取り付けることができる、取っ手（４０）を設けたことを特徴とする炉本体。
【請求項９】
設置式の囲炉裏（１A）、又は床切式の囲炉裏（１Ｂ）の炉端（２）の炉端開口部（３）に設置する囲炉裏用炉（３５）において、
四角箱型に形成される炉本体（１０）と、
この炉本体（１０）の上部の炉開口部（３７）の相対する二方の長手方向の外側に沿って水平方向に形成される炉出っ張り（１１）と、
前記炉本体（１０）の外壁の四隅の側面に前記炉出っ張り（１１）より一定の低い位置で互いに同じ高さで固定され設けられる下向きのL字形状の炉支持部（５７）と、
これら下向きのL字形状の炉支持部（５７）の縦辺を構成し前記炉本体（１０）の外壁の側面に固定され取り付けられる炉支持プレート（５７ｂ）と、
前記L字形状の炉支持部（５７）の水平辺を構成し、炉端開口部（３）周辺の炉係合部（５８）に掛けられ裏面が接触する事により前記炉本体（１０）を前記炉端（２）に設置する炉支持プレート（５７a）と、
前記炉出っ張り（１１）に設けられる取り外し式の取っ手（４０）と、
これら取っ手（４０）の本体を構成しコの字型に形成され下部の両端が内側に直角に形成される連結棒（４２）と、
前記取っ手（４０）の取付部を構成し前記連結棒（４２）の両端下部が挿入できる大きさで前記炉出っ張り（１１）に一対が形成される切欠き（３４）と、
を有する事を特徴とする囲炉裏用炉。
【請求項１０】
前記囲炉裏用炉（３５）を設置するための炉運搬箱（５９）と、
この炉運搬箱（５９）の下部を構成し四角箱型に形成される炉本体収納部（６１）と、
上部を構成し四角箱型に形成される炉運搬箱蓋（６２）と、
前記炉本体収納部（６１）の両側面に取外し自在に設けられる一対の取っ手（４０）と、これらの取っ手（４０）の本体を構成し両端が内側に直角に形成されるコの字型の連結棒（４２）と、
この連結棒（４２）の上部に取り付けられる握り部分（４４）と、前記取っ手（４０）の取付部を構成し前記炉本体収納部（６１）の両側面に固定される略長方形の取っ手プレート（４３）と、
これら取っ手プレート（４３）の端部が巻き上がってフック状に形成され、このフック状の先端部に連結棒（４２）が出し入れできる隙間（４６）を有する連結棒受け部（４５）と、
を有することを特徴とする請求項５、６、７、又は９に記載の囲炉裏用炉。
【請求項１１】
前記炉本体収納部（６１）の上部開口部と炉運搬箱蓋（６２）の下部開口部が合い重なり連結される部分の両側面の両端部に固設される蝶番（２１）と、
この蝶番（２１）が固設された両側面と相対する両側面の両端部に固設されるロック装置（４１B）と、
このロック装置（４１Ｂ）と下部を構成し、コの字上に形成され両下端部が内側の水平方向に直角に形成された状態で、ロック上蓋（４８）の両側面の下端部に形成されるスプリング穴（５１）に挿入され、上下自在に動くように連結されるスプリング部分（４７Ｂ）と、
前記ロック上蓋（４８）の下端部に形成されるロック出っ張り（５０）と、前記ロック上蓋（４８）の両側面の上端部に形成される連結穴（５３）と、
ロック本体（４９）の両側面の上端部に形成される連結穴（５３）と、これらの連結穴（５３）が合わされた状態で軸（５４）で連結され前記ロック本体（４９）に被さる状態で上下自在に動くように長方形の縦板の両端から水平方向に側板を有する形状に形成されるロック上蓋（４８）と、
このロック上蓋（４８）に対応する大きさで長方形の箱型に形成され前記炉本体収納部（６１）の側面の中央の上端部に固設されるロック本体（４９）と、前記ロック装置（４１B）の上部を構成し下端」が前記スプリング部分（４７B）の先端が掛けられためにJの字状に形成され前記炉運搬箱（６２）の側面の中央の下端部に固設されるスプリング受け（６０）と、
を有することを特徴とする請求項１０に記載の囲炉裏用炉。
【請求項１２】
下部を構成し四角箱型に形成される炉本体収納部（６１）と、
上部を構成し四角箱型に形成される炉運搬箱蓋（６２）から構成され、前記炉本体収納部（６１）の相対する一対の側面に設けられる取っ手（４０）と、
を有する事を特徴とする炉運搬箱。
【請求項１３】
前記炉本体収納部（６１）の内側側面に設けられる炉支持部（５７Ｂ）を、有することを特徴とする請求項１２に記載の炉運搬箱。
【請求項１４】
前記炉本体収納部（６１）の開口部に形成される箱出っ張り（１９a）と、
前記運搬箱蓋（６２）の開口部に形成される箱出っ張り（１９ｂ）と、
を有することを特徴とする請求項１２に記載の炉運搬箱。
【請求項１５】
前記炉本体収納部（６１）と前記炉運搬箱蓋（６２）の側面に固設される蝶番（２１）と、この蝶番（２１）が固設された側面と相対する前記炉本体収納部（６１）と前記炉運搬箱蓋（６２）の側面に固設されるロック装置（４１Ｂ）を、
有することを特徴とする請求項１２乃至１４に記載の炉運搬箱。
【請求項１６】
前記炉本体収納部（６１）の内部側面の四隅に互いに同じ高さに固設されるＬ字状の炉支持部（５７Ｂ）と、
この炉支持部（５７Ｂ）の縦辺を構成し前記炉本体収納部（６１）の内部側面に固定される炉支持プレート（５７ｃ）と、
前記炉支持部（５７Ｂ）の水平辺を構成する炉支持プレート（５７ｄ）と、
この炉支持プレート（５７ｄ）が前記炉本体（１０）を支持することにより炉運搬箱（５９）の内部に形成される空気層（６４）と、
を有することを特徴とする請求項１０、又は１１に記載の囲炉裏用炉。
【請求項１７】
前記炉運搬箱蓋（６２）の下部の開口部に固設される底板（１３Ｂ）と、
この底板（１３Ｂ）が前記炉運搬箱蓋（６２）の下部の開口部を閉じることにより前記炉運搬箱蓋（６２）の内部に形成される空気層（６４Ｂ）と、
を有することを特徴とする請求項１０，１１、又は１６に記載の囲炉裏用炉。
【請求項１８】
前記炉運搬箱蓋（６２）の下部の開口部に固設される底板（１３Ｂ）と、前記炉運搬箱蓋（６２）の内部に形成される空気層（６４Ｂ）が設けられるを特徴とする請求項１２乃至１５に記載の炉運搬箱。
【請求項１９】
前記底板（１３Ｂ）の四方の端部から垂直方向に前記箱出っ張り（１９ｂ）の端部に接合され枠状に形成された側板（１４ｂ）で前記炉運搬箱蓋（６２）の側部に空気層（６４Ｃ）が設けられたことを特徴とする請求項１８に記載の前記炉運搬箱。
【発明の詳細な説明】
【技術分野】
【０００１】
この発明は、囲炉裏及び野外用バーベキューコンロの炉本体に関する。
【背景技術】
【０００２】
図２４において、従来の設置式の囲炉裏１Aにおける炉本体１０は四角箱状で上部の炉開口部３７の縁の外側に炉出っ張り１１が水平方向に形成される。囲炉裏１Aの炉端２は木枠１２と天板２４から構成され、床面４に設置される。木枠１２は底部に底板１３が固定され四角枠状に形成される。木枠１２の上端部の外側の端部周辺が天板２４の中央に形成される四角形の炉端開口部３の周辺の天板２４の裏面と接合固定され、天板２４を支持すると同時に木枠１２の上端の木口の内側周辺縁部に炉係合部５８が形成される。炉本体１０が炉端開口部３に挿入され、炉本体１０の炉開口部３７の縁に形成された炉出っ張り１１の裏面が炉係合部５８に掛けられて炉本体１０が炉端２に設置され囲炉裏１Aが形成される。さらに、炉本体１０の内部に灰３１が敷かれ、燃焼物３２が燃焼される。
【０００３】
図２５において、従来の床切式の囲炉裏１Ｂにおける炉本体１０は四角箱状で上部の炉開口部３７の縁に炉出っ張り１１が外側の水平方向に形成される。囲炉裏１Ｂの炉端２は天板２４から構成され、床面４が四角形状に切り抜かれ、床面開口部５と床下面９の間に四角筒状の木枠１２Ｂが四角枠状に設けられる。この木枠１２Ｂの上端部が床面開口部５の周辺の床面４の裏面と接触固定され、床面開口部５の周辺の床面４を支持する。天板２４の中央部に床面開口部５に対応する大きさで炉端開口部３が形成され、床面開口部５の周辺の床面４に天板２４が載せられ固定されることにより、床面開口部５の周辺縁部の床面の表面に炉係合部５８が形成される。炉本体１０が炉端開口部３に挿入され、炉本体１０の炉開口部３７の長手方向に形成された炉出っ張り１１の裏面が炉係合部５８に掛けられて炉本体１０が炉端２に設置され囲炉裏１Ｂが形成される。さらに、炉本体１０の内部に灰３１が敷かれ、燃焼物３２が燃焼される。
【０００４】
図２６において、従来の焚き火台ＴＢにおける炉本体１０は四角箱状である。脚２８０は脚連結部２８ｃにより束ねられて閉脚した状態と放射状に開脚された状態とに開閉できる４本の脚棒２８aからなる。各脚棒２８aの上端部に、この脚棒２８aに沿って折り畳まれた状態と脚棒２８aに対し開いた状態との間で回動する折り畳み部２８ｂを連結する。炉本体１０は開脚した各脚棒２８aの上端部ないし開いた各折り畳み部２８ｂの下端部に載置する。これら折り畳み部２８ｂが炉本体１０を側方から押さえる。
【非特許文献１】夢工舎の囲炉裏カタログｐ２７
【非特許文献２】夢工舎の囲炉裏カタログｐ３１
【特許文献１】特許出願平１０−３６１８７９
【特許文献２】実用新案出願平９−７８３１
【発明の開示】
【発明が解決しようとする課題】
【０００５】
しかしながら、以上の技術によれば、非特許文献１の夢工舎の囲炉裏カタログｐ２７、非特許文献２の夢工舎の囲炉裏カタログｐ３１に示すように、炉本体の炉出っ張りは炉端の下に敷設され、特許文献１の特許出願平１０−３６１８７９に見られるように、天板が取り外し式の囲炉裏においても炉本体の中で燃焼物が燃焼中の炉本体のみを移動することは容易ではなかった。炉本体の中で燃焼物が燃焼中の炉本体を移動する場合、炉本体の開口部から灰、又は燃焼物からの火の粉等が炉本体の外に飛ぶ恐れがあった。又、特許文献２実用新案出願平９−７８３１に見られるように焚き火台、バーベキューコンロ等の炉本体の開口部を塞ぐものは何も設けられていないのが通常であった。そのため、炉本体を安全、清潔に移動することが容易でなく、設置式または床切式の囲炉裏の炉本体において、炉本体の中で燃焼物が燃焼中の場合に、安全、清潔に炉本体を運搬することはできなかった。
そこで、この発明は、床切式または設置式の囲炉裏、又は焚き火台、野外用のバーベキューコンロなどにおいて、炉本体の中で燃焼物が燃焼中の状態である場合でも、安全、清潔に炉本体を容易に運搬することができる囲炉裏用炉、又は炉本体を提供することを課題とする。
【課題を解決するための手段】
【０００６】
以上の課題を解決するために、第一発明は、図１、図３、図９に例示するように、設置式の囲炉裏、床切式の囲炉裏、焚き火台、又は野外用のバーベキューコンロなどの四角箱型に形成され、上部の炉開口部の縁に沿って水平方向に炉出っ張りが形成される炉本体において、裏面の端部に断面がコの字型のスライド溝が形成され、前記炉本体の炉開口部に対応し、四角形状に形成される蓋を、取付可能とした炉本体である。
また、第二発明は、図１、図３、図９に例示するように、さらに、前記スライド溝が前記蓋の裏面の端部の二方、又は三方に形成されることを特徴とする炉本体である。
また、第三発明は、図１、図３、図４、図９に例示するように、さらに、前記蓋の表面に取っ手が固設されることを特徴とする炉本体である。
また、第四発明は、図１、図３、図５、図９に例示するように、さらに、前記炉本体と前記蓋を固定、又は解除することができるロック装置が、前記蓋の表面の端部に設けられることを特徴とする炉本体である。
【０００７】
第五発明は、図３、図６、図７に例示するように、設置式の囲炉裏、又は床切式の囲炉裏の炉端の炉端開口部に設置する囲炉裏用炉において、四角箱型に形成される炉本体と、この炉本体の上部の炉開口部の縁に沿って水平方向に形成される炉出っ張りと、前記炉本体の外壁の四隅の側面に前記炉出っ張りより一定の低い位置で互いに同じ高さで固定され設けられる下向きのL字形状の炉支持部と、これら下向きのL字形状の炉支持部の縦辺を構成し前記炉本体の外壁の側面に固定され取り付けられる炉支持プレートと、前記L字形状の炉支持部の水平辺を構成し、炉端開口部周辺の炉係合部に掛けられ裏面が接触する事により前記炉本体を前記炉端に設置する炉支持プレートと、前記炉出っ張りに対応し金属製の板材で四角型形状に形成され、裏面の四方の端部と前記炉出っ張りの表面が合わされ前記炉開口部を閉じる蓋と、この蓋の裏面の三方の端部の長手方向に形成され、前記炉出っ張りの三方が挿入される断面がコの字型のスライド溝と、を有する事を特徴とする囲炉裏用炉である。
また、第六発明は、図３、図４、図６、図７に例示するように、さらに、前記蓋の表面の少なくとも両端部に設けられる取り外し式の一対の取っ手と、これらの取っ手の本体を構成し両端が内側に直角に形成されるコの字型の連結棒と、この連結棒の上部に取り付けられる握り部分と、前記取っ手の取付部を構成し前記蓋の表面に固定される略長方形の取っ手プレートと、これら取っ手プレートの端部が巻き上がってフック状に形成され、このフック状の先端部に連結棒が出し入れできる隙間を有する連結棒受け部と、を有する事を特徴とする囲炉裏用炉である。
【０００８】
また、第七発明は、図５、図６、図７に例示するように、さらに、前記蓋の裏面にスライド溝が形成されない一方の端部の表面に設けられるロック装置と、このロック装置を構成し、コの字状に形成され、両後端部が上方に直角に形成され、さらに内側に直角に形成された状態で、ロック上蓋の両側面の後端部に形成されるスプリング穴に挿入され上下に自在に動くように連結されるスプリング部分と、このスプリング部分の先端部に前記蓋の裏面にスライド溝が形成されない一方の端部と前記炉出っ張りが合わされた状態で「緩やかに」挿入されるコの字型に形成されるロック部分と、前記ロック上蓋の後端部に形成されるロック出っ張りと、前記ロック上蓋の先端部の両側面の上部に形成される連結穴と、ロック本体の先端部の両側面の上部に形成される連結穴と、これらの連結穴が合わされた状態で軸で連結され前記ロック本体に被さる状態で上下自在に動くように長方形の天板の両端から垂直方向に側板を有する形状に形成されるロック上蓋と、このロック上蓋に対応する大きさで長方形の箱型に形成され底面が前記蓋の表面に固設されるロック本体と、を有する事を特徴とする囲炉裏用炉である。
また、第八発明は、図８に例示するように、相対する一対の前記炉出っ張りに、取外し自在に取り付けることができる、取っ手を設けたことを特徴とする炉本体である。
【０００９】
また、第九発明は、図８に例示するように、設置式の囲炉裏、又は床切式の囲炉裏の炉端の炉端開口部に設置する囲炉裏用炉において、四角箱型に形成される炉本体と、この炉本体の上部の炉開口部の相対する二方の長手方向の外側に沿って水平方向に形成される炉出っ張りと、前記炉本体の外壁の四隅の側面に前記炉出っ張りより一定の低い位置で互いに同じ高さで固定され設けられる下向きのL字形状の炉支持部と、これら下向きのL字形状の炉支持部の縦辺を構成し前記炉本体の外壁の側面に固定され取り付けられる炉支持プレートと、前記L字形状の炉支持部の水平辺を構成し、炉端開口部周辺の炉係合部に掛けられ裏面が接触する事により前記炉本体を前記炉端に設置する炉支持プレートと、前記炉出っ張りに設けられる取り外し式の取っ手と、これら取っ手の本体を構成しコの字型に形成され下部の両端が内側に直角に形成される連結棒と、これら連結棒の上部に取り付けられる握り部分と、前記取っ手の取付部を構成し前記連結棒の両端下部が挿入できる大きさで前記炉出っ張りに一対が形成される切欠きと、を有する事を特徴とする囲炉裏用炉である。
【００１０】
また、第十発明は、図１４に例示するように、前記囲炉裏用炉を設置するための炉運搬箱と、この炉運搬箱の下部を構成し四角箱型に形成される炉本体収納部と、上部を構成し四角箱型に形成される炉運搬箱蓋と、前記炉本体収納部の両側面に取外し自在に設けられる一対の取っ手と、これらの取っ手の本体を構成し両端が内側に直角に形成されるコの字型の連結棒と、この連結棒の上部に取り付けられる握り部分と、前記取っ手の取付部を構成し前記炉本体収納部の両側面に固定される略長方形の取っ手プレートと、これら取っ手プレートの端部が巻き上がってフック状に形成され、このフック状の先端部に連結棒が出し入れできる隙間を有する連結棒受け部と、を有することを特徴とする囲炉裏用炉である。
【００１１】
また、第十一発明は、図１４に例示するように、さらに、前記炉本体収納部の上部開口部と炉運搬箱蓋の下部開口部が合い重なり連結される部分の両側面の両端部に固設される蝶番と、この蝶番が固設された両側面と相対する両側面の両端部に固設されるロック装置と、このロック装置と下部を構成し、コの字上に形成され両下端部が内側の水平方向に直角に形成された状態で、ロック上蓋の両側面の下端部に形成されるスプリング穴に挿入され、上下自在に動くように連結されるスプリング部分と、前記ロック上蓋の下端部に形成されるロック出っ張りと、前記ロック上蓋の両側面の上端部に形成される連結穴と、ロック本体の両側面の上端部に形成される連結穴（５３）と、これらの連結穴が合わされた状態で軸で連結され前記ロック本体に被さる状態で上下自在に動くように長方形の縦板の両端から水平方向に側板を有する形状に形成されるロック上蓋と、このロック上蓋に対応する大きさで長方形の箱型に形成され前記炉本体収納部の側面の中央の上端部に固設されるロック本体と、前記ロック装置の上部を構成し下端」が前記スプリング部分の先端が掛けられためにJの字状に形成され前記炉運搬箱の側面の中央の下端部に固設されるスプリング受けと、を有することを特徴とする囲炉裏用炉である。
【００１２】
また、第十二発明は、図１４に例示するように、下部を構成し四角箱型に形成される炉本体収納部と、上部を構成し四角箱型に形成される炉運搬箱蓋から構成され、前記炉本体収納部の相対する一対の側面に設けられる取っ手と、を有する事を特徴とする炉運搬箱である。
【００１３】
また、第十三発明は、図１５に例示するように、さらに、前記炉本体収納部の内側側面に設けられる炉支持部を、有することを特徴とする炉運搬箱である。
【００１４】
また、第十四発明は、図１６に例示するように、さらに、前記炉本体収納部の開口部に形成される箱出っ張りと、前記運搬箱蓋の開口部に形成される箱出っ張りと、を有することを特徴とする炉運搬箱である。
また、第十五発明は、図１５、図１６に例示するように、さらに、前記炉本体収納部と前記炉運搬箱蓋の側面に固設される蝶番と、
この蝶番が固設された側面と相対する前記炉本体収納部と前記炉運搬箱蓋の側面に固設されるロック装置を、
有することを特徴とする炉運搬箱である。
【００１５】
また、第十六発明は、図１５に例示するように、さらに、前記炉本体収納部の内部側面の四隅に互いに同じ高さに固設されるＬ字状の炉支持部と、この炉支持部の縦辺を構成し前記炉本体収納部の内部側面に固定される炉支持プレートと、前記炉支持部の水平辺を構成する炉支持プレートと、この炉支持プレートが前記炉本体を支持することにより炉運搬箱の内部に形成される空気層と、を有することを特徴とする囲炉裏用炉である。
【００１６】
また、第十七発明は、図１５、図１６に例示するように、さらに、前記炉運搬箱蓋の下部の開口部に固設される底板と、この底板が前記炉運搬箱蓋の下部の開口部を閉じることにより前記炉運搬箱蓋の内部に形成される空気層と、を有することを特徴とする囲炉裏用炉である。
また、第十八発明は、図１５、図１６に例示するように、さらに、前記炉運搬箱蓋の下部の開口部に固設される底板と、前記炉運搬箱蓋の内部に形成される空気層が設けられるを特徴とする炉運搬箱である。
また、第十九発明は、図１６に例示するように、さらに、前記底板の四方の端部から垂直方向に前記箱出っ張りの端部に接合され枠状に形成された側板で前記炉運搬箱蓋の側部に空気層が設けられたことを特徴とする前記炉運搬箱である。
【発明の効果】
【００１７】
第一、第二、第五発明によれば、炉本体（１０）の上部の炉開口部（３７）を閉じる蓋（３６）により、炉本体（１０）内部の燃焼中の燃焼物（３２）や灰（３１）等が覆われ、燃焼物（３２）の飛び火を防ぎ、移動中の風により舞い上がることもなく、安全に、清潔に、炉本体（１０）を運搬することができる。また、蓋（３６）はスライド溝（３９）に挿入されており外れにくい。
【００１８】
第三、第六発明によれば、蓋（３６）の表面に取り外し自在に設けられる一対の取っ手（４０）によって、囲炉裏用炉（３５）の一対の取っ手（４０）を両手で握って炉本体（１０）を運搬することができる。また、取っ手（４０）が取り外し自在なので、蓋（３６）が燃焼中の燃焼物（３２）で熱くなった場合でも取っ手（４０）の連結棒（４０）と握り部分（４４）が熱くならず安全に炉本体（１０）を運搬することができる。握り部分（４４）が木製であり炉本体（１０）の熱が伝わりにくいので安全に炉本体（１０）を運搬することができる。
【００１９】
第四、七発明によれば、ロック装置（４１）によってさらに蓋（３６）が炉本体（１０）に固定されるので炉本体（１０）を倒した場合でも安全であり、炉本体（１０）内部で燃焼物（３２）が燃焼中の場合でも安全、清潔に炉本体（１０）を運搬することができる。蓋（３６）を炉本体（１０）の炉開口部（３７）にロックする手順を述べる。蓋（３６）の裏面の端部に形成される三方のスライド溝（３９）を炉出っ張り（１１）に挿入し、炉開口部（３７）が蓋（３６）で閉じられる状態で、ロック装置（４１）のロック出っ張り（５０）を上方に上げてスプリング部分（４７）を蓋（３６）の外側に出し、炉出っ張り（１１）と裏面にスライド溝（３９）が形成されない蓋（３６）の一方の端部を重ね合わせた部分にスプリング部分（４７）の先端に形成されたロック部分（５２）を合い向かわせる。この状態でロック出っ張り（５０）を下方に押し下げてロック部分（５２）に炉出っ張り（１１）とスライド溝（３９）が形成されない蓋（３６）の一方の端部を重ね合わせた部分を挿入することで蓋（３６）が炉本体（１０）に固定される。蓋（３６）を炉本体（１０）から解除する場合は、固定する場合と逆の順序で行う。
【００２０】
第八、九発明によれば、取っ手（４０）の働きで、一対の取っ手（４０）を両手で握って炉本体（１０）を運ぶことができる。取っ手（４０）の連結棒が取り外し自在なので、炉本体（１０）で燃焼物（３２）が燃焼している状態でも取っ手（４０）が熱くならず安全に炉本体（１０）を運搬することができる。
【００２１】
第十、十二発明によれば、炉本体（１０）を設置するための炉運搬箱（５９）により、炉本体（１０）内部の燃焼中の燃焼物（３２）や灰（３１）等が覆われ、燃焼物（３２）の飛び火を防ぎ、移動中の風により舞い上がることもなく、安全に、清潔に、炉本体（１０）を運搬することができる。炉本体収納部（６１）の両側面に取り外し自在に設けられる一対の取っ手（４０）によって、両手で握って炉本体（１０）を運搬することができる。また、取っ手（４０）が取り外し自在なので、炉運搬箱（５９）が熱くなった場合でも取っ手（４０）の連結棒（４２）と握り部分（４４）が熱くならず安全に炉本体（１０）を運搬することができる。
【００２２】
第十一、十五発明によれば、炉本体収納部（６１）の上部開口部と炉運搬箱蓋（６２）の下部開口部が合い重なり連結される部分の両側面の両端部に固設される蝶番（２１）と、この蝶番（２１）が固設された両側面と相対する両側面の両端部に固設されるロック装置（４１Ｂ）により、炉本体収納部（６１）と炉運搬箱蓋（６２）が固定されるので炉運搬箱（５９）が倒れた場合でも炉本体（１０）の内部の燃焼中の燃焼物（３２）や灰（３１）が炉運搬箱（５９）の外にこぼれずに安全、清潔に、炉本体（１０）を運搬することができる。
【００２３】
第十三、十四、十六発明によれば、炉運搬箱（５９）の内部に形成される空気層（６４）の働きで、炉本体（１０）内部の熱が炉運搬箱（５９）に直接伝わらず炉運搬箱（５９）の外側の表面に熱が伝わりにくく、運搬する人の火傷などの可能性を低くできる。
【００２４】
第十七、十八発明によれば、炉運搬箱蓋（５９）の内部に形成される空気層（６４Ｂ）により炉本体（１０）の内部から炉運搬箱（５９）に直接伝わる熱が遮断されることで炉運搬箱（５９）の表側に熱が伝わりにくい。したがって、炉運搬箱（５９）の炉運搬箱蓋に熱が伝わりにくく、運搬する人の火傷などの可能性を低くできる。
第十九発明によれば、炉運搬箱蓋（５９）の内部に形成される空気層（６４Ｃ）により炉本体（１０）の内部から炉運搬箱（５９）に直接伝わる熱が遮断されることで炉運搬箱（５９）の表側に熱が伝わりにくい。したがって、炉運搬箱（５９）の炉運搬箱蓋に熱が伝わりにくく、運搬する人の火傷などの可能性を低くできる。
【発明を実施するための最良の形態】
【００２５】
この発明の第一実施形態を、図１から図６に示す。図１は第一実施形態における炉本体１０に蓋３６を取り付けた事を示す斜視図、図２は炉本体１０を示す斜視図、図３は蓋３６を示す斜視図、図４は蓋３６の取っ手４０を示す部分斜視図、図５はロック装置４１を示す側面図、図６は蓋３６を取り付けた炉本体１０を設置式の囲炉裏１Aの炉端２に設置したことを示す断面図、図７は蓋３６を取り付けた炉本体１０を床切式の囲炉裏１Bの炉端２に設置したことを示す断面図である。
【００２６】
図1に示すように、蓋３６を取り付けた炉本体１０には下部の炉本体１０と上部の蓋３６から構成される。下部を構成する炉本体１０は図２に示すように、金属の板材で四角箱型に形成され、上部の炉開口部３７の縁の外側に沿って水平方向に炉出っ張り１１が形成される。また、外壁の側面の四隅に炉支持部５７が設けられる。
【００２７】
炉支持部５７は金属のプレートが直角の下向きにL字状に形成された金属片で、炉支持部５７は炉本体１０の外壁の四隅の側面の炉出っ張り１１より低い位置で互いに同じ高さの位置に固定される。炉支持部５７は上部の炉支持プレート５７aと下部の炉支持プレート５７ｂから構成され、下部の炉支持プレート５７ｂの縦面が炉本体１０の外壁の四隅の側面に熔接され取り付けられることにより炉支持部５７が炉本体１０に設けられる。
【００２８】
蓋３６は、図３に示すように、炉出っ張り１１に対応し金属製の板材で四角型形状に形成され、裏面の「三方の端部」の長手方向にL字型の金属の板を熔接などで固定する事により断面がコの字型のスライド溝３９が蓋３の裏面の三方に形成される。（ここでいう「三方の端部」とは、図中の左右端部及び図示しない奥側端部をいう。）図１に示すように、このスライド溝３９の両端に炉本体１０の相対する二方の炉出っ張り１１の両端が一定の隙間を有し挿入され、相対する二方のスライド溝３９が相対する二方の炉出っ張り１１を一定の隙間を有し内包した状態で蓋６が水平方向にスライドされる。
さらに蓋３６の裏面のもう一方のスライド溝３９が炉本体１０の一方の炉出っ張り１１に一定の隙間を有し挿入されると同時に、この炉出っ張り１１に相対するもう一方の炉出っ張り１１の表面と、スライド溝３９が形成されない蓋３６の一方の端部の裏面が合い重なり、蓋３６の三方のスライド溝３９が炉本体１０の三方の炉出っ張り１１に一定の隙間を保ち挿入される。これにより、蓋３６の四方の端部の裏面と炉本体１０の四方の炉出っ張り１１の表面が合い重なり、炉本体１０の炉開口部３７が蓋３６で閉じられる。
蓋３６は両端部に一対の取り外し自在の取っ手４０が設けられ、裏面にスライド溝３９が形成されない一方の表面の端部に一対の金属製のロック装置４１が設けられる。
取っ手４０は、図４に示すように、本体を構成する金属のコの字型の連結棒４２の上部に木製の握り部分４４が取付けられ、下部の両端が内側に直角に形成される。取付部は金属板の取っ手プレート４３から構成される。取っ手プレート４３は略長方形の形状で端部が巻き上がってフック状に形成される連結棒受け部４５が形成される。この連結棒受け部４５は連結棒４２の両端の下部が自在に出し入れできる一定の隙間４６を有し形成される。取っ手プレート４３の裏面が蓋３６の表面の両端部に熔接され固定される。
【００２９】
ロック装置４１は、図１に示すように、蓋３６の裏面にスライド溝３９が形成されない一方の端部の表面に一対が設けられ、炉本体１０の炉開口部３７が蓋３６で閉じられる状態で蓋３６と炉本体１０を固定解除する。金属製のロック装置４１は従来のスプリングパチン錠のコの字状のスプリング部分を変形させたものであり、このロック装置４１は金属棒のスプリング部分４７と、ロック上蓋４８と、ロック本体４９から構成される。図５に示すように、スプリング部分４７は両後端部が上方に直角に形成され、さらに両後端部が内側に直角に形成された状態で、ロック上蓋４８の両側面の後端部形成されるスプリング穴５１に挿入され、上下自在に動くように連結される。
【００３０】
ロック上蓋４８はロック本体４９を覆う大きさで長方形の天板の両端から垂直方向に側板を有する形状に形成され、天板の後端部にロック出っ張り５０が形成される。ロック上蓋４８は両側板の後端部にスプリング部分４７の両端が挿入されるスプリング穴５１と、先端部の上部に連結穴５３が形成され、ロック本体４９の先端部の両側面の上部に形成される連結穴５３と合わされた状態で軸５４が挿入され、ロック本体４９に被さる状態で上下自在に動くようにロック本体４９と連結される。ロック本体４９はロック上蓋４８に対応する大きさで長方形の箱型に形成され、ロック本体４９の底面が裏面にスライド溝３９が形成されない蓋３６の一方の端部の表面にネジ５５とボルト５６で取付けられ固定される。
炉本体１０の炉開口部３７が蓋３６で閉じられる状態で蓋３６の裏面にスライド溝３９が形成されない一方の端部と炉本体１０の炉出っ張り１１の一方の端部が合い揃う状態の部分にスプリング部分４７の先端のロック部分５２が「緩やかに」挿入されて蓋３６と炉本体１０が固定される。（ここで、「緩やかに」というのは、人の力で蓋３６の裏面にスライド溝３９が形成されない一方の端部と炉本体１０の炉出っ張り１１の一方の端部が合い揃う状態を固定又は解除できるほどにロック部分５２と蓋３６の裏面にスライド溝３９が形成されない一方の端部と炉本体１０の炉出っ張り１１の一方の端部が合い揃う肉厚との間に隙間があることを言う。）
図６に示すように、蓋３６を取り付けた炉本体１０は設置式の囲炉裏１Aの炉端開口部３に設置される。この囲炉裏１Aの炉端２は木枠１２と天板２４から構成され、床面４に設置される。木枠１２は底部に底板１３が固定され四角枠状に形成される。木枠１２の上端部の外側の端部周辺が天板２４の中央に形成される四角形の炉端開口部３の周辺の天板２４の裏面と接合固定され、天板２４を支持すると同時に木枠１２の上端の木口の内側周辺に炉係合部５８が形成される。炉本体１０が炉端開口部３に挿入され、炉本体１０の炉支持部５７の炉支持プレート５７aの裏面が木枠１２の上端内側に形成された炉係合部５８に載せられることで炉本体１０が炉端２の炉端開口部３に設置され設置式の囲炉裏１Aを形成する。
【００３１】
図７に示すように、蓋３６を取り付けた炉本体１０は床切式の囲炉裏１Ｂの炉端開口部３に設置される。囲炉裏１Ｂは床面４が切抜かれることで形成される床面開口部５に天板２４から構成される炉端２を設置し、この炉端２の炉端開口部３に炉本体１０を設置することで床切式の囲炉裏１Ｂが形成される。床面４が四角形状に切り抜かれ、床面開口部５と床下面９の間に四角筒状の木枠１２Ｂが四角枠状に設けられる。この木枠１２Ｂの上端部が床面開口部５の周辺の床面４の裏面と接触固定され、床面開口部５の周辺の床面４を支持する。天板２４の中央部に床面開口部５に対応する大きさで炉端開口部３が形成され、床面開口部５の周辺の床面４に天板２４が載せられ固定されることにより、床面開口部５の周辺の床面の表面に炉係合部５８が形成される。炉本体１０が炉端開口部３に挿入され、炉本体１０の炉支持部５７の炉支持プレート５７aの裏面が床面の表面に形成された炉係合部５８に載せられることで炉本体１０が炉端２の炉端開口部３に設置され囲炉裏１Ｂを形成する。
【００３２】
この発明の第二実施形態を、図８に示す。図８は第二実施形態における炉本体１０を示す斜視図である。
【００３３】
図８に示すように、炉本体１０は金属の板材で四角箱型に形成され、上部の炉開口部３７の縁の外側に沿って水平方向に炉出っ張り１１が形成され、相対する一対の炉出っ張り１１に取っ手４０が設けられる。また、外壁の側面の四隅に炉支持部５７が設けられる。この炉支持部５７は第一実施形態における炉支持部５７と全く同じ構成要素で構成される。
【００３４】
取っ手４０は本体を構成する連結棒４２と取付部を構成する切欠き３４から構成される。
本体を構成する連結棒４２は第一実施形態における取っ手４０の本体を構成する連結棒４２と全く同じであり上部に木製の握り部分４４が取付けられ、下部の両端が内側に直角に形成される。取付部を構成する切欠き３４は炉本体１０の上部の炉開口部３７の縁の外側に水平に形成される炉出っ張り１１の相対する二方の炉出っ張り１１にそれぞれ一対の切欠き３４が形成される。これらの切欠き３４は取っ手４０の連結棒４２が挿入できる大きさで形成され、二方の炉出っ張り１１にそれぞれ形成される一対の切欠き３４に一対の連結棒４２の両端下部が挿入されることで取外し式の取っ手４０が形成される。
【００３５】
この発明の第三実施形態を、図９、図１０、図１１、図１２、図１３に示す。図９は焚き火台ＴAを示す斜視図、図１０は側板１４を示す斜視図、図１１、図１２は脚２８の組立途中図、図１３は脚２８を示す斜視図である。
【００３６】
図９に示すように、第一実施形態と全く同じ構成要素で構成された炉本体１０の炉開口部３７が第一実施形態と全く同じ構成要素で構成された蓋３６で閉じられた状態で側板１４が井桁状に組まれた脚２８の上に据え置かれる。
【００３７】
脚２８を構成するのは、互いに平行で二対が設けられる４枚の金属の側板１４である。これらの側板１４は図１０に示すように、両端部に井桁組溝１７が形成され、４枚の側板１４がこれら井桁組溝１７によって、互いに「緩やかに」井桁に組まれることにより、脚２８が形成される。（ここで、「緩やかに」というのは、人の力で脚２８の井桁が分解でき、組み立てられるほどに井桁組溝１７と側板１４の肉厚との間に隙間があることを言う。）
脚２８の組み立て順序を図１１、図１２、図１３を使って以下に説明する。
先ずはじめに、図１１に示すように、一枚目の側板１４（１）の端部に形成された井桁組溝１７と二枚目の側板１４（２）の端部に形成された井桁組溝１７を「緩やかに」組み合わせる。次に、図１２に示すように、二枚目の側板１４（２）のもう一方の端部に形成された井桁組溝１７と一枚目の側板１４（１）と平行で一対が設けられるもう一方の三枚目の側板１４（３）の端部に形成された井桁組溝１７を「緩やかに」組合せる。
次に、図１３に示すように、一枚目の側板１４（１）のもう一方の端部に形成された井桁組溝１７と二枚目の側板１４（２）と平行で一対が設けられるもう一方の四枚目の側板１４（４）の端部に形成された井桁組溝１７とを「緩やかに」組み合わせる。同時に、三枚目の側板１４（３）のもう一方の端部に形成された井桁組溝１７と、四枚目の側板１４（４）のもう一方の端部に形成された井桁組溝１７を「緩やかに」組合せて、脚２８を設ける。分解する場合は組立順と逆に分解する。
【００３８】
この発明の第四実施形態を、図１４、図１５に示す。図１４は炉本体１０を運搬する炉運搬箱５９を示す斜視図、図１５はこの炉運搬箱５９に炉本体１０を設置したことを示す断面図である。
【００３９】
図１４に示すように、炉運搬箱５９は下部の炉本体収納部６１と上部の炉運搬箱蓋６２から構成され、下部の炉本体収納部６１と上部の炉運搬箱蓋６２は金属で四角箱型の形状に形成される。下部の炉本体収納部６１は両側面に第一実施形態と同じ構成要素の取っ手４０が設けられ、連結棒受け部４５が上部になる状態で取っ手プレート４３の裏面が炉本体収納部６１の側面に溶接で固定され取り付けられる。図１５に示すように、炉本体収納部６１の上部開口部と炉運搬箱蓋６２の下部開口部とが合い重なり炉本体収納部６１の側面上端と炉運搬箱蓋６２の側面下端が合わせられた状態で炉本体収納部６１の一方の側面と炉運搬箱蓋６２の一方の側面が連結される部分に蝶番２１が溶接で固設され炉運搬箱蓋６２が炉本体収納部６１に上下自在に動くように取り付けられる。
【００４０】
また、蝶番２１が固設された炉本体収納部６１と炉運搬箱蓋６２の両側面と相対する両側面の両端部にロック装置４１Ｂが設けられる。この金属製のロック装置４１Ｂは従来のスプリングパチン錠であり、ロック装置４１Ｂはスプリング受け６０と、金属棒のスプリング部分４７Ｂと、ロック上蓋４８と、ロック本体４９から構成される。図１４に示すように、コの字型に形成されたスプリング部分４７Ｂの両下端が水平に内側に直角に形成された状態で、ロック上蓋４８の両側板の下端部に形成されるスプリング穴５１に挿入され、上下に自在に動くように連結される。スプリング部分４７Ｂの先端はコの字型の形状に形成される。
【００４１】
図１５に示すように、ロック上蓋４８はロック本体４９を覆う大きさで長方形の縦板の両端から水平方向に側板を有する形状に形成され、縦板の下端部にロック出っ張り５０が形成される。ロック上蓋４８は両側板の下端部にスプリング穴５１が形成され、上端部に連結穴５３が形成される。ロック上蓋４８はこれら連結穴５３とロック本体４９の両側板の上端部に形成される連結穴５３と合わされた状態で軸５４が挿入され、ロック本体４９に被さる状態で上下自在に動くようにロック本体４９と連結される。ロック本体４９は前記ロック上蓋４８に対応する大きさで長方形の箱型に形成され、ロック本体４９の側板が炉本体収納部６１の側面の中央の上端部にネジ５５とボルト５６で取付けられ固定される。
【００４２】
断面がＪの字の形状に形成されたスプリング受け６０の裏側の側面が炉運搬箱蓋６２の側面の中央の下端部に取り付けられ固定され、このスプリング受け６０の下端の部分にスプリング部分４７Ｂのコの字型に形成された部分が掛けられ、ロック上蓋４８のロック出っ張り５０が押し下げられることにより炉本体収納部６１と炉運搬箱蓋６２が固定される。
【００４３】
炉運搬箱５９の下部を構成する炉本体収納部６１は四角箱型で内部側面の四隅に炉支持部５７Ｂが固設され、これらの炉支持部５７Ｂは金属で直角のＬ字型の形状に形成され上部の炉支持プレート５７ｃと下部の炉支持プレート５７ｄから構成される。これら炉支持部５７Ｂの炉支持プレート５７ｃの側面が炉本体収納部６１の内部の側面の四隅に溶接で固定され、これら炉支持部５７Ｂが互いに同じ高さに固設される。炉支持プレート５７ｄの表面に炉本体１０の四隅に固設された炉支持部５７の上部を構成する炉支持プレート５７aの裏面と合い重なり囲炉裏用炉３５を支持することで炉運搬箱５９の内部に空気層６４が形成される。炉運搬箱５９の上部を構成する炉運搬箱蓋６２は四角箱型で下部の開口部に底板１３Ｂが固設され、炉運搬箱蓋６２の内部に空気層６４Ｂが形成される。
【００４４】
この発明の第五実施形態を、図１６に示す。図１６は炉本体１０を運搬する炉運搬箱５９を示す断面図である。
【００４５】
図１６に示すように、炉本体１０は第一実施形態と全く同じ構成要素で構成され、炉運搬箱５９は下部の炉本体収納部６１と上部の炉運搬箱蓋６２から構成され、下部の炉本体収納部６１と上部の炉運搬箱蓋６２は金属で四角箱型の形状に形成される。下部の炉本体収納部６１の開口部の縁に沿って内側の水平方向に箱出っ張り１９aが設けられ、上部の炉運搬箱蓋６２の開口部の縁に沿って内側の水平方向に箱出っ張り１９ｂが設けられる。この場合、下部の炉本体収納部６１の開口部の縁に沿って形成される箱出っ張り１９aが上部の炉運搬箱蓋６２の開口部の縁に沿って形成される箱出っ張り１９ｂより幅が広く、炉支持プレート５７aが載せることができる幅の差がある状態で形成される。
【００４６】
炉本体収納部６１の箱出っ張り１９aの表面と炉運搬箱蓋６２の箱出っ張り１９ｂの下面が合い重なり炉本体収納部６１の開口部上端と炉運搬箱蓋６２の下端が合わせられた状態で炉本体収納部６１の一方の側面と炉運搬箱蓋６２の一方の側面が連結される部分に蝶番２１が溶接で固設され炉運搬箱蓋６２が炉本体収納部６１に上下自在に動くように取り付けられる。又、第四実施形態と全く同じ構成要素のロック装置４１Ｂは第四実施形態と全く同じ位置に固設される。第四実施形態と全く同じ構成要素の取っ手４０が第四実施形態と全く同じ位置に設けられる。
【００４７】
炉本体１０の側面に固設された炉支持部５７の炉支持プレート５７aの裏面が炉本体収納部６１の箱出っ張り１９aの表面に掛けられることで炉運搬箱５９の炉本体収納部６１の下部に空気層６４が形成される。又、炉運搬箱蓋６２の上部に底板１３を固設することで炉運搬箱蓋６２の上部に空気層６４Ｂが形成され、炉運搬箱蓋６２の箱出っ張り１９ｂの端部から底板１３の下面の端部の間に枠状の側板１４が固設されることで、炉運搬箱蓋６２の下部側部に空気層６４Ｃが形成される。
「第一実施形態の効果」
第一実施形態によれば、炉支持部５７の炉支持プレート５７aの働きで、炉本体１０を炉端開口部３に挿入したとき、天板２４と炉本体１０の炉開口部３７の四方の長手方向に形成される炉出っ張り１１の裏面の間に空間が形成され、炉本体１０の炉出っ張り１１が両手で持ちやすい。したがって、炉本体１０の燃焼物３２が燃焼中に安全に炉本体１０を移動することができる。又、したがって、蓋３６の裏面の三方向に形成されたスライド溝３９を挿入しやすい。
【００４８】
炉支持プレート５７aの働きで、炉本体１０を炉端開口部３に挿入したとき、炉本体１０と木枠１２（１２Ｂ）の内側の間に隙間を形成することができるので、炉本体２の燃焼物４３が燃焼し、発生する熱が木枠１２（１２Ｂ）に伝わりにくい。したがって、炉端２の耐久性を高めることができる。
【００４９】
蓋３６の働きで、炉本体１０の燃焼物３２が燃焼中に安全、清潔に炉本体１０を移動することができる。
【００５０】
蓋３６の裏面の三方の端部の長手方向に形成されるコの字型のスライド溝３９と、炉本体１０の炉開口部３７の四方の長手方向に形成される炉出っ張り１１の働きで、蓋３６が炉開口部３７から外れにくい。したがって、炉本体１０の燃焼物３２が燃焼中に安全、清潔に炉本体１０を移動することができる。
【００５１】
取っ手４０の働きで、炉本体１０の燃焼物３２が燃焼中に安全、清潔に炉本体１０を移動することができる。握り部分４４の働きで、連結棒４２が握りやすく熱くならない。取っ手プレート４３に形成される隙間４６の働きで、取っ手４０を蓋３６に取り外し自在に取り付ける事ができる。したがって、取っ手４０は熱くならないので炉本体１０の燃焼物３２が燃焼中に安全に炉本体１０を移動することができる。
ロック装置４１のロック部分５２の働きで、蓋３６と炉本体１０の炉開口部３７の縁に形成される炉出っ張り１１を固定することができる。したがって、炉開口部３７に蓋３６が固定されるので炉本体１０の燃焼物３２が燃焼中に安全、清潔に炉本体１０を移動することができる。
【００５２】
「第二実施形態の効果」
第二実施形態によれば、  取っ手４０の働きで、炉本体１０の燃焼物３２が燃焼中に安全に炉本体１０を移動することができる。握り部分４４の働きで、連結棒４２が握りやすく熱くならない。切欠き３４の働きで、取っ手４０を炉出っ張り１１に取り外し自在に取り付ける事ができる。したがって、取っ手４０は熱くならないので炉本体１０の燃焼物３２が燃焼中に安全に炉本体１０を移動することができる。
【００５３】
「第三実施形態の効果」
第三実施形態によれば、脚２８の働きで地面と炉本体１０の間に空間ができるので、炉本体１０で燃焼物を燃焼した場合でも、地面に熱による影響が少なくすることができる。
脚２８は組立式なので、炉本体１０を運搬、又は収納する場合に縮小することができるので運搬しやすく、狭い空間でも収納することができる。
「第四、第五実施形態の効果」
第四、第五実施形態によれば、空気層６４の働きで、炉本体１０の底面と炉本体収納部６１の底面が接触することがなく炉本体１０のなかで燃焼物３２が燃焼した場合でも、その熱が炉運搬箱５９の表面に伝わりにくいので、燃焼物３２が燃焼中の炉本体１０を炉運搬箱５９に設置した場合でも安全に炉本体１０を移動することができる。ロック装置４１Ｂの働きで、炉本体１０が炉運搬箱５９に固定されるので炉本体１０の中で燃焼物３２が燃焼中の炉本体１０を炉運搬箱５９に設置した場合でも安全に炉本体１０を移動することができる。空気層６４Ｂの働きで、さらに炉本体１０の内部の熱が炉運搬箱５９の上部に伝わりにくい。
【００５４】
「第五実施形態の効果」
第五実施形態によれば、空気層６４Ｃの働きで、炉本体１０の中で燃焼物３２が燃焼中である場合でもその熱が炉運搬箱５９の表面に伝わりにくいので、燃焼物３２が燃焼中の炉本体１０を炉運搬箱５９に設置した場合でも安全に炉本体１０を移動することができる。
「他の実施形態」
図１の実施形態では、ロック装置４１は従来のスプリングパチン錠のスプリング部分を変形させたものであったが、他の実施形態では、図１７に示すように、ロック装置４１は取り外し自在のロック装置４１Ｃを設けるものでも良い。このロック装置４１Ｃは長方形のプレートで中央の両端こぐちから長手方向にロック部分５２Ｂが水平に形成され、炉本体１０の一方の炉出っ張り１１と蓋３６のスライド溝３９が形成されない一方の端部が合わされた部分に「緩やかに」挿入され、蓋３６と炉本体１０が固定される。又は、図には示さないが、図１の実施形態におけるロック装置４１のスプリング部分４７の先端にロック部分５２の替わりに前記ロック装置４１Ｃを接合させるものでも良い。（ここで、「緩やかに」というのは、人の力で蓋３６と炉本体２を固定解除できるほどにロック部分５２Ｂと裏面にスライド溝３９が形成されない蓋３６の一方の端部と炉本体１０の前記炉出っ張り１１の端部が合い揃う部分の肉厚との間に隙間があることを言う。）
図１の実施形態では、ロック装置４１は従来のスプリングパチン錠のスプリング部分を変形させたものであったが、他の実施形態では、図には示さないが、ロック装置４１はロック装置４１Ｃに取っ手４０を固設するものでも良い。この場合、図２に示す取っ手４８の取っ手プレート４３をロック装置４１Ｃの中央部に固設し、連結棒が上下自在に動くものと連結棒４２の両端をロック装置４１Ｃの中央部に固設し連結棒が固定されるものでも良い。       
【００５５】
図１の実施形態では、ロック装置４１は蓋３６の裏面にスライド溝３９が形成されない一方の端部に設けられたが、他の実施形態では、ロック装置４１は蓋３６の裏面の相対する二方のスライド溝３９が形成されない表面に設けられるものでも良い。  図１８に示すように、蓋３６は裏面の相対する二方の両端にスライド溝３９が形成されない状態で、図１におけるロック装置４１、又は図１７におけるロック装置４１Ｃが設けられるものでも良い。
図１の実施形態では、取っ手４０は連結棒４２の上部に木製の握り部分４４が設けられたが、他の実施形態では、木製の握り部分４４がないものでも良い。図１の実施形態では、ロック装置４１は一対が設けられたが、他の実施形態では、一つのロック装置４１が設けられるものでも良い。
図１の実施形態では、取っ手４０は蓋３６の両端部に一対が設けられたが、他の実施形態では、蓋３６の中央部に一つが設けられるものでも良い。
【００５６】
図６の実施形態では炉支持部５７は炉本体１０の側面の四隅に固設されたが、他の実施形態では、図１９に示すように、炉本体１０の底面に炉支持部５７Ｃを設けるものでも良い。この炉支持部５７Ｃは四本、又は3本から構成される角柱、又は円柱の脚で炉本体１０の底面とこれら炉支持部５７Ｃの上端が接触することで炉本体１０を支持する。
【００５７】
図８の実施形態では、切欠き３４は炉本体１０の相対する二方の炉出っ張り１１に一対が形成されたが、他の実施形態では、切欠き３４は炉本体１０の相対する二方の側面に連結穴５３が一対形成されるものでも良い。
図８の実施形態では、取っ手４０と炉本体１０の連結は、相対する二方の炉出っ張り１１に一対の切欠き３４に一対の取っ手４０の連結棒の両端部が挿入されることで連結されたが、他の実施形態では、取っ手４０と炉本体１０の連結は、炉出っ張りに切り欠き３４が無い状態で、図１５に示すロック装置４１Ｃの中央部に連結棒４２の両端部を固設したもの又は、ロック装置４１Ｃに取っ手プレート４３を固設して、連結棒４２がロック装置４１Ｃに上下自在に動くように取り付けられるものを炉出っ張り１１に挿入して取っ手４０と炉本体１０の連結をしても良い。
【００５８】
図１５の実施形態では、炉本体１０の炉開口部３７は炉本体１０の炉開口部３７に形成される三方の炉出っ張り１１に蓋３６の裏面の三方に形成されるスライド溝３９が挿入され蓋３６で閉じられたが、他の実施形態では、図２０に示すように、炉本体１０の炉開口部３７は炉運搬箱５９のロック装置４１Ｂでロックされた場合に蓋３６Ｂで閉じられるものでも良い。炉本体１０の炉出っ張り１１と同じ形状、又はより外側に出る大きさの蓋３６Ｂが炉運搬箱５９の上部を構成する炉運搬箱蓋６２の底板１３Ｂの裏面の四方の端部に固設されるパイプ６３で連結され固設される。底板１３Ｂの四方の端部と蓋３６Ｂの四方の端部の同じ位置に連結穴５３が形成され蓋３６Ｂの四方の端部に形成された連結穴５３にネジ５５が挿入され、さらにパイプに挿入されて蓋３６Ｂの四方の端部に形成された連結穴５３にネジ５５が挿入され、蓋３６Ｂの上部に出されたネジ５５がボルト５６で固定されることにより底板１３Ｂに一定の空間が形成された状態で蓋３６Bが固定される。
又は、蓋３６Ｂの四隅に連結穴５３が形成されこの連結穴５３にネジ５５が挿入され内側にネジが切られたパイプ６３が挿入され固設されるものでも良い。又は、底板１３Ｂの四隅に連結穴５３が形成されこの連結穴５３にネジ５５が挿入され内側にネジが切られたパイプ６３が挿入され固設されるものでも良い。
【００５９】
又は、図には示さないが、底板１３Ｂで炉本体１０の炉開口部３７を閉じるものでも良い。
【００６０】
図１５の実施形態では、炉本体１０の炉開口部３７は炉本体１０の炉開口部３７に形成される三方の炉出っ張り１１に蓋３６の裏面の三方に形成されるスライド溝３９が挿入され蓋３６で閉じられたが、他の実施形態では、図２１に示すように、炉本体１０の炉開口部３７は炉運搬箱５９のロック装置４１Ｂでロックされた場合に蓋３６Ｃで閉じられるものでも良い。蓋３６Ｃは四角箱状の形態であり、四角形の平面の端部の四方から垂直に側面が形成され上端部が蓋３６Ｂの端部の底面と接触することで炉本体１０の炉開口部３７が閉じられる。
【００６１】
図１５の実施形態では、炉支持部５７Ｂは炉本体収納部６１の内側の側面の四隅に溶接で固定され、これら炉支持部５７Ｂが互いに同じ高さに固設されたが、他の実施形態では、炉支持部５７ＢはL字状の枠体であるものでも良い。炉支持部５７Ｂは上部を構成する枠体の炉支持プレート５７ｃと下部を構成する枠体の炉支持プレート５７ｄから構成される。上部を構成する枠体の炉支持プレート５７ｃの下部開口部から内側に水平に形成され中央に炉本体１０の四隅に固設された炉支持部５７に対応する大きさで形成される開口部を有する炉支持プレート５７ｃが形成される。上部を構成する枠体の炉支持プレート５７ｃの外側側面と炉本体収納部６１の内側の側面が溶接などで水平に固定されることで枠体の炉支持部５７Ｂが炉本体収納部６１の内側側面に水平に固設される。
【００６２】
図１５の実施形態では、炉支持部５７Ｂは炉本体収納部６１の内側の側面に設けられたが、他の実施形態では、図２２に示すように、炉本体収納部６１の底面に炉支持部５７Ｄが設けられるものでも良い。炉支持部５７Ｄは炉本体１０の四隅に設けられた炉支持部５７に対応して炉本体１０の底面の四隅に固設される。炉支持部５７ＤはＬ字状で上部の炉支持プレート５７eと下部の炉支持プレート５７fから構成される。下部の炉支持プレート５７fの端部長手方向から垂直に側板の炉支持プレート５７eが形成されこの炉支持プレート５７eの上端が炉本体１０の四隅に設けられた炉支持部５７の炉支持プレート５７aの裏面と接触することで炉本体１０を支持する。下部の炉支持プレート５７fの裏面が炉本体１０の底面に溶接などで取り付けられ固定されることで炉支持部５７Ｄが炉本体収納部６１の底面に固設される。
【００６３】
又は、炉支持部５７ＤはＬ字状の枠体で炉本体１０の底面の中央部に固設され上部の枠体の炉支持プレート５７eと下部の炉支持プレート５７fから構成される。下部の四角枠状の炉支持プレート５７fの開口部の四方の長手方向から垂直に側板の炉支持プレート５７eが形成されこの炉支持プレート５７eの上端が炉本体１０の四隅に設けられた炉支持部５７の炉支持プレート５７aの裏面と接触することで炉本体１０を支持する。下部を構成する炉支持プレート５７fの裏面が炉本体１０の底面に溶接などで取り付けられ固定されることで枠体の炉支持部５７Ｄが炉本体収納部６１の底面に固設される。
図１５の実施形態では、空気層６４は炉本体１０が炉本体収納部６１の開口部に挿入され、炉支持プレート５７aの裏面が炉支持プレート５７ｄの表面と接触することにより形成されたが、他の実施形態では、図２３に示すように、空気層６４はグラスウール、珪藻土などの断熱材Ｄが炉本体収納部６１の側部及び底部に固設されることにより形成されるものでも良い。
図１５の実施形態では、空気層６４Ｂは底板１３Ｂが炉運搬箱蓋６２の開口部に固設されることにより形成されたが、他の実施形態では、図２３に示すように、空気層６４Ｂはグラスウール、珪藻土などの断熱材Ｄが炉運搬箱６２の上部に固設されることにより形成されるものでも良い。
図２０の他の実施形態では、空気層６４Ｃは側板１４ｂが炉運搬箱蓋６２の側部に固設されることにより形成されたが、他の実施形態では、図２１に示すように、空気層６４Ｃはグラスウール、珪藻土などの断熱材Ｄが炉運搬箱６２の側部に固設されることにより形成されるものでも良い。
【図面の簡単な説明】
【００６４】
【図１】第一実施形態の炉本体に蓋を取り付けたことを示す斜視図である
【図２】第一実施形態の炉本体を示す斜視図
【図３】第一実施形態の蓋を示す斜視図
【図４】第一実施形態の取っ手を示す蓋の部分斜視図である
【図５】第一実施形態のロック装置を示す囲炉裏用炉の部分断面図である
【図６】第一実施形態の囲炉裏を示す断面図である
【図７】第一実施形態の囲炉裏を示す断面図である
【図８】第二実施形態の炉本体を示す斜視図である
【図９】第三実施形態の焚き火台を示す斜視図
【図１０】第三実施形態の側板を示す斜視図
【図１１】第三実施形態の脚の組立途中の部分図
【図１２】第三実施形態の脚の組立途中の斜視図
【図１３】第三実施形態の脚を示す斜視図
【図１４】第四実施形態の炉運搬箱を示す斜視図である
【図１５】第四実施形態の炉運搬箱を示す断面図である
【図１６】第五実施形態の炉運搬箱を示す断面図である
【図１７】他の実施形態を示す斜視図である
【図１８】他の実施形態を示す断面図である
【図１９】他の実施形態を示す断面図である
【図２０】他の実施形態を示す断面図である
【図２１】他の実施形態を示す断面図である
【図２２】他の実施形態を示す断面図である
【図２３】他の実施形態を示す断面図である
【図２４】従来の囲炉裏用炉を使用した囲炉裏の断面図である。
【図２５】従来の囲炉裏用炉を使用した囲炉裏の断面図である。
【図２６】従来の炉本体を使用した焚き火台の断面図である。
【符号の説明】
【００６５】
１囲炉裏    ２炉端  ３炉端開口部  ４床面  ５床面開口部  ９床下面  １０炉本体  
１１炉出っ張り  １２木枠  １３底板  １４側板  １９箱出っ張り  ２１蝶番  ２４天板  
２８脚  ３１灰  ３２燃焼物  ３５囲炉裏用炉    ３６蓋  ３７炉開口部    
３９スライド溝  ４０取っ手  ４１ロック装置    ４２連結棒  ４３取っ手プレート  
４４握り部分  ４５連結棒受け部  ４６隙間  ４７スプリング部分  ４８ロック上蓋  
４９ロック本体  ５０ロック出っ張り  ５１スプリング穴  ５２ロック部分  ５３連結穴  
５４軸  ５５ネジ  ５６ボルト  ５７炉支持部  ５８炉係合部  ５９炉運搬箱  
６０スプリング受け  ６１炉本体収納部  ６２炉運搬箱蓋  ６３パイプ  ６４空気層  
Ｔ焚き火台  Ｄ断熱材
【図１】
2008107078.tif 000003
【図２】
2008107078.tif 000004
【図３】
2008107078.tif 000005
【図４】
2008107078.tif 000006
【図５】
2008107078.tif 000007
【図６】
2008107078.tif 000008
【図７】
2008107078.tif 000009
【図８】
2008107078.tif 000010
【図９】
2008107078.tif 000011
【図１０】
2008107078.tif 000012
【図１１】
2008107078.tif 000013
【図１２】
2008107078.tif 000014
【図１３】
2008107078.tif 000015
【図１４】
2008107078.tif 000016
【図１５】
2008107078.tif 000017
【図１６】
2008107078.tif 000018
【図１７】
2008107078.tif 000019
【図１８】
2008107078.tif 000020
【図１９】
2008107078.tif 000021
【図２０】
2008107078.tif 000022
【図２１】
2008107078.tif 000023
【図２２】
2008107078.tif 000024
【図２３】
2008107078.tif 000025
【図２４】
2008107078.tif 000026
【図２５】
2008107078.tif 000027
【図２６】
2008107078.tif 000028